【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
画像から第１の検出対象の領域を検出する第１の検出手段と、
前記第１の検出対象の領域を推定可能な第２の検出対象の領域を画像から検出する第２の検出手段と、
所定条件を満たす場合に、前記第１の検出対象の領域を示す所定の形態の表示を行うように制御する制御手段とを有し、
前記制御手段は、前記所定の形態の表示が行われていない状態において前記第１の検出手段により前記第１の検出対象の領域が検出された際に、さらに前記第２の検出手段により前記第２の検出対象の領域が検出されたか否かに基づいて、前記所定条件を変更することを特徴とする被写体検出装置。
【請求項２】
前記第１の検出対象の領域を示す表示が行われていない状態において前記第１の検出手段により前記第１の検出対象の領域が検出された際に、さらに前記第２の検出手段により前記第２の検出対象の領域が検出された場合、前記制御手段は、前記第２の検出対象の領域が検出されなかった場合と比較して、前記所定条件を緩和することを特徴とする請求項１に記載の被写体検出装置。
【請求項３】
前記制御手段は、前記第１の検出手段により検出された領域のサイズが所定の範囲内であれば、前記所定の形態の表示を行うように制御し、前記所定の範囲の設定を変更することにより、前記所定条件を変更することを特徴とする請求項１又は２に記載の被写体検出装置。
【請求項４】
前記制御手段は、前記第１の検出手段および前記第２の検出手段の記憶されている検出結果に基づいて、前記所定条件を変更することを特徴とする請求項１乃至３のいずれか１項に記載の被写体検出装置。
【請求項５】
前記第１の検出手段により前記第１の検出対象の領域が検出され、かつ前記第２の検出手段により前記第２の検出対象の領域が検出されなかった際に、前記制御手段は、前記第１の検出手段により検出された前記第１の検出対象の領域が、前記所定の形態により示された領域と対応すると判定した場合、対応しないと判定した場合と比較して、前記所定条件を緩和することを特徴とする請求項１乃至４のいずれか１項に記載の被写体検出装置。
【請求項６】
前記制御手段は、前記第１の検出手段により検出された前記第１の検出対象の領域のサイズが第１の閾値以上であれば、当該第１の検出対象の領域を示す前記所定の形態の表示を行うよう制御し、前記第１の閾値を第２の閾値に変更することにより、前記所定条件を変更することを特徴とする請求項１乃至５のいずれか１項に記載の被写体検出装置。
【請求項７】
前記第１の検出手段により前記第１の検出対象の領域が検出され、さらに前記第２の検出手段により前記第２の検出対象の領域が検出された場合、前記第２の閾値は、前記第１の検出手段により検出可能な前記第１の検出対象のサイズに基づく値に設定されることを特徴とする請求項６に記載の被写体検出装置。
【請求項８】
前記所定の条件は、前記第１の検出手段による検出結果の信頼度に応じて変更されることを特徴とする請求項１乃至７のいずれか１項に記載の被写体検出装置。
【請求項９】
前記第１の検出手段により前記第１の検出対象の領域が検出されず、かつ前記第２の検出手段により前記第２の検出対象の領域が検出された場合、前記制御手段は、前回の前記所定の形態の表示が行われた領域および、前記第２の検出手段の検出結果に基づいて、前記所定の形態の表示を行うことを特徴とする請求項１乃至８のいずれか１項に記載の被写体検出装置。
【請求項１０】
前記制御手段は、前記第２の検出手段により検出された前記第２の検出対象の領域が、前回の前記所定の形態の表示が行われた領域に対応する場合、前記第２の検出対象の領域から推定された前記第１の検出対象の領域に基づいて、前記所定の形態の表示を行うことを特徴とする請求項９に記載の被写体検出装置。
【請求項１１】
前記制御手段は、前記第２の検出対象の領域から推定された前記第１の検出対象の領域のサイズが第３の閾値以上の場合、前記所定の形態の表示を行うことを特徴とする請求項１０に記載の被写体検出装置。
【請求項１２】
前記第３の閾値は、前記第２の検出手段により検出される前記第２の検出対象の領域から推定可能な前記第１の検出対象の領域のサイズの下限値に基づいて設定されることを特徴とする請求項１１に記載の被写体検出装置。
【請求項１３】
前記制御手段は、前記第１の検出手段により検出された前記第１の検出対象の領域のサイズが第１の閾値以上であれば、当該第１の検出対象の領域を示す前記所定の形態の表示を行うよう制御し、前記第３の閾値は、前記第１の閾値より小さい値であることを特徴とする請求項１１又は１２に記載の被写体検出装置。
【請求項１４】
前記制御手段は、前記第２の検出手段により検出された前記第２の検出対象の領域が、前回の前記所定の形態の表示が行われた領域と対応しない場合、前記第２の検出対象の領域から推定された前記第１の検出対象の領域に基づく前記所定の形態の表示を行わないことを特徴とする請求項１０乃至１３のいずれか１項に記載の被写体検出装置。
【請求項１５】
所定の制御に用いる信号を取得するための評価領域を設定する設定手段を有し、
前記設定手段は、前記第１の検出対象の領域に基づいて、前記評価領域を設定することを特徴とする請求項１乃至１４のいずれか１項に記載の被写体検出装置。
【請求項１６】
前記所定の制御は、焦点調節または露出調節の少なくとも一方の制御を含むことを特徴とする請求項１５に記載の被写体検出装置。
【請求項１７】
前記第１の被写体領域は人物の顔領域であって、前記第２の被写体領域は人物の顔および胴体を含む領域であることを特徴とする請求項１乃至１６のいずれか１項に記載の被写体検出装置。
【請求項１８】
請求項１乃至１７のいずれか１項に記載の被写体検出装置と、
被写体像を光電変換して画像を生成する撮像手段を有することを特徴とする撮像装置。
【請求項１９】
被写体検出装置の制御方法であって、
画像から第１の検出対象の領域を検出する第１の検出ステップと、
前記第１の検出対象の領域を推定可能な第２の検出対象の領域を画像から検出する第２の検出ステップと、
所定条件を満たす場合に、前記第１の検出対象の領域を示す所定の形態の表示を行うように制御する制御ステップとを有し、
前記制御ステップにおいて、前記所定の形態の表示が行われていない状態において前記第１の検出ステップにより前記第１の検出対象の領域が検出された際に、さらに前記第２の検出ステップにより前記第２の検出対象の領域が検出されたか否かに基づいて、前記所定条件を変更することを特徴とする被写体検出装置の制御方法。
【請求項２０】
請求項１９に記載の被写体検出装置の制御方法を実行させるように構成されていることを特徴とする被写体検出装置の制御プログラム。
【請求項２１】
請求項２０に記載の被写体検出装置の制御プログラムを記憶していることを特徴とする記憶媒体。
【手続補正２】
【補正対象書類名】明細書
【補正対象項目名】０００７
【補正方法】変更
【補正の内容】
【０００７】
上記の目的を達成するために、第１の本発明は、画像から第１の検出対象の領域を検出する第１の検出手段と、前記第１の検出対象の領域を推定可能な第２の検出対象の領域を画像から検出する第２の検出手段と、所定条件を満たす場合に、前記第１の検出対象の領域を示す所定の形態の表示を行うように制御する制御手段とを有し、前記制御手段は、前記所定の形態の表示が行われていない状態において前記第１の検出手段により前記第１の検出対象の領域が検出された際に、さらに前記第２の検出手段により前記第２の検出対象の領域が検出されたか否かに基づいて、前記所定条件を変更することを特徴とする。
【手続補正３】
【補正対象書類名】明細書
【補正対象項目名】０００８
【補正方法】変更
【補正の内容】
【０００８】
第２の本発明は、被写体検出装置の制御方法であって、画像から第１の検出対象の領域を検出する第１の検出ステップと、前記第１の検出対象の領域を推定可能な第２の検出対象の領域を画像から検出する第２の検出ステップと、所定条件を満たす場合に、前記第１の被写体領域に対応する領域を示す所定の形態の表示を行うよう制御する制御ステップとを有し、前記制御ステップにおいて、前記所定の形態の表示が行われていない状態において前記第１の検出ステップにより前記第１の検出対象の領域が検出された際に、さらに前記第２の検出ステップにより前記第２の検出対象の領域が検出されたか否かに基づいて、前記所定条件を変更することを特徴とする。